(57)【要約】【課題】            ブラウザ経由で新規登録が必要なホームページに対しては、一々そのホームページアドレスを入力してアクセスする必要性があり、現在そのアクセスを省略して新規登録を可能とするシステムが存在していないという点である。【解決手段】        自動新規登録システムは特定のサイトに複数のコンテンツを同時に表示させ、そのインターフェイスに表出されるアカウント、パスワードの書き込み欄にサインインし、次いで、前記したコンテンツリストから、前記したサイトのユーザーページに加えたいホームページのサイトをクリックすることとし、前記したクリック操作により、前記したホームページに対し、自動的にユーザーアカウント、パスワードが生成され、コンテンツに加えられ、次回からは自動的にログインされた状態とされることとする。【選択図】          図１
2008191810.tif 000002
【特許請求の範囲】
【請求項１】
特定のサイトに複数のコンテンツを同時に表示させ、そのインターフェイスに表出されるアカウント、パスワードの書き込み欄にサインインし、次いで、前記したコンテンツリストから、前記したサイトのユーザーページに加えたいホームページのサイトをクリックすることを特徴とする自動新規登録システム。
【請求項２】
前記したクリック操作により、前記したホームページに対し、自動的にユーザーアカウント、パスワードが生成され、コンテンツに加えられ、次回からは自動的にログインされた状態とされることを特徴とする請求項１に記載の自動新規登録システム。
【発明の詳細な説明】
【技術分野】
【０００１】
本発明は自動新規登録システム、特に特定のサイトにおけるユーザーページにユーザーが加えたい新たなホームページを容易な操作で加えさせ、しかもそのホームページに関して、次回のアクセスからは自動的にログイン状態とされているとすることができる自動新規登録システムに関する。
【背景技術】
【０００２】
汎用のｗｗｗブラウザを経由してホームページ（サイト）を閲覧するには、通常そのホームページのアドレスを入力してアクセスし、端末の画面に表示する。この端末画面表示の際に、時としてログイン作業、即ち、アカウント、パスワード等の入力を行なう必要がある。
【０００３】
これは、ブラウザを経由してホームページの閲覧をするシステムは時分割システムとなっており、端末がシステムの利用を開始する時、端末からログイン（ログオン）コマンドが投入されると、システムは利用者やパスワードを検査して、サービス要求を受け入れる準備を行なう。このシステムに利用の開始を知らせるためのアカウント、パスワードの入力要求はほとんど全てのホームページでなされる。
【０００４】
また、パスワードの類はユーザーにとって、時として忘れてしまうこともあり得るもので、その場合、一々ヘルプをクリックしたり、あるいはメモを見直す等の作業はログイン操作に先立って、さらに煩わしいものとなり、加えて、ブラウザを経由して新規登録が必要となる個別または複数のホームページには、そのホームページごとに一々アクセスをしなければ登録操作をすることができ得ないものとなっている。
【特許文献１】出願人は、本願発明に関して、先行する技術文献を調査したが、格別に本願発明と関連し、類似すると思われる文献を発見することはできなかった。
【発明の開示】
【発明が解決しようとする課題】
【０００５】
本発明が解決しようとする問題点は、ブラウザ経由で新規登録が必要なホームページに対しては、一々そのホームページアドレスを入力してアクセスする必要性があり、現在そのアクセスを省略して新規登録を可能とするシステムが存在していないという点である。
【課題を解決するための手段】
【０００６】
この問題点を解決するために、本発明に係る自動新規登録システムは特定のサイトに複数のコンテンツを同時に表示させ、そのインターフェイスに表出されるアカウント、パスワードの書き込み欄にサインインし、次いで、前記したコンテンツリストから、前記したサイトのユーザーページに加えたいホームページのサイトをクリックすることを特徴とし、前記したクリック操作により、前記したホームページに対し、自動的にユーザーアカウント、パスワードが生成され、コンテンツに加えられ、次回からは自動的にログインされた状態とされることを特徴としている。
【発明の効果】
【０００７】
本発明に係る自動新規登録システムは上記のように構成されている。そのために、本発明によれば、特定のサーバにおけるユーザーページに、特定のホームページのインターフェイスから選択することで、加えたいホームページを、当該ホームページへ一々アクセスする操作を不要として新規登録を済ませ、加えることができ、そのホームページは次回からの閲覧に関しては自動的にログインされた状態となっていることとすることができ、操作の煩わしさを解消することができるものとなっている。
【発明を実施するための最良の形態】
【０００８】
図面として示し、実施例で説明したように構成したことで実現した。
【実施例１】
【０００９】
次に、本発明の好ましい実施の一例を図面を参照して説明する。図１はサーバサイトにおけるインターフェイス画面を示す図、図２は同じく他の例を示す図、図３は同じくアカウント、パスワードの書き込み欄を示す図、図４は同じくユーザーページ画面を示す図である。
【００１０】
これらの図にあって１は特定のサーバ（例えばＣＯＮＥＸ）のウェブサイト（ホームページ）におけるインターフェイスの表示画面を示しており、このインターフェイスの表示画面１には複数のコンテンツ２、２‥が視覚的に共有できるよう、一定のスペースに区切られて同時に表示される。この複数のコンテンツ２、２‥の同時表示はブラウザ（閲覧ソフト）の分割機能またはマッシュアップ技術が使用される。
【００１１】
このインターフェイスの表示画面１における複数のコンテンツ２、２‥はコントロールも可能で、ユーザー各自の必要性や好みに応じて位置換え等も可能で、例えば図２として示すインターフェイスの表示画面１ａ等のように変更することもできる。そして、状況やユーザーの趣向に応じてリスティングも可能なものとなっている。
【００１２】
また、このインターフェイスの表示画面１、１ａは文字列のみから構成されるテキストバージョンに変更して表示することも可能で、この場合、情報項目ごとにコンテンツを羅列したり、キーワードごとに羅列する等の編集を行なうことも可能となっている。
【００１３】
そして、このインターフェイスの表示画面１、１ａには片隅にアカウントの書き込み欄３及びパスワードの書き込み欄４が表出されており、この各欄３、４にユーザーアカウント、パスワードをサインインし、次いで、前記したインターフェイスの表示画面１、１ａに複数表示されているコンテンツ２、２‥からユーザーページに加えたいものを選択し、カーソルを合わせ、クリックする。例えばｈｔｔｐ：／／ｗｗｗ．ｐａｇｅｔａ．ｃｏｍのホームページを加えると仮定すると、その該当表示にカーソルを合わせてクリックすることとなる。
【００１４】
このクリック作業によって図４として示す例えばＣＯＮＥＸのサイトにおけるユーザーページの表示画面５に、前記した選択されたホームページが新しいコンテンツとして自動的に加えられる。このユーザーページの表示画面５はユーザーが独自に作成し、各自の好みのコンテンツを複数同時に表示されている。次回、新たに加えられたホームページを閲覧しようとする際、そのコンテンツ２を選択すると、ログインも自動的に終了された状態のものとなっている。
【００１５】
本発明に係る自動新規登録システムはこのように構成されており、新規登録したいホームページを、そのホームページのアドレスを入力し、一々アクセスする労力を一切不要とし、この新規登録を可能とし、しかも、次回からそのホームページを閲覧しようとする時にはログインも自動的に終了している状態となっているため、このログイン操作も不要となり、瞬時に、目的のホームページを表示させることができることとなる。
【図面の簡単な説明】
【００１６】
【図１】サーバサイトにおけるインターフェイス画面を示す図である。
【図２】他の例を示す図である。
【図３】アカウント、パスワードの書き込み欄を示す図である。
【図４】ユーザーページ画面を示す図である。
【符号の説明】
【００１７】
１    インターフェイスの表示画面
１ａ  インターフェイスの表示画面
２    コンテンツ
３    アカウント書き込み欄
４    パスワード書き込み欄
５    ユーザーページの表示画面
【図１】
2008191810.tif 000003
【図２】
2008191810.tif 000004
【図３】
2008191810.tif 000005
【図４】
2008191810.tif 000006